(57)【要約】【課題】  捻りブラシの中心軸である金属線の形態を各捻りブラシ部のブラシ素材の種類に応じて変更して、必要に応じて様々な態様の捻りブラシ部を備えた捻りブラシを提供する。【解決手段】  金属線１を折曲することにより金属線部分１ａの本数が異なる並列個所２ａを複数有するように成形し、各金属線部分１ａの並列個所２ａに複数本のブラシ素材３ａを直交するように装着して捻り込むことにより、金属線部分１ａの本数が異なる複数の捻りブラシ部４，５を成形した。【選択図】        図１
2007167363.tif 000002
【特許請求の範囲】
【請求項１】
金属線を折曲することにより金属線部分の本数が異なる並列個所を複数有するように成形し、各金属線部分の並列個所に複数本のブラシ素材を直交するように装着して捻り込むことにより、金属線部分の本数が異なる複数の捻りブラシ部を成形したことを特徴とする捻りブラシ。
【請求項２】
複数の金属線部分の並列個所は、金属線を折曲することにより金属線部分の並列する並列個所を成形して該並列個所に複数本のブラシ素材を直交するように装着して捻り込むことにより成形した第１捻りブラシ部と、該第１捻りブラシ部を折曲することにより前記第１捻りブラシ部の両端から金属線部分同士が突出して並列してなる第２並列個所に複数本のブラシ素材を直交するように装着して捻り込むことにより成形した第２捻りブラシ部とを備えた請求項１に記載の捻りブラシ。
【発明の詳細な説明】
【技術分野】
【０００１】
本発明は、捻りブラシに関するものである。
【背景技術】
【０００２】
従来から、複数の捻りブラシ部を備えた捻りブラシが知られている。例えば、シャンク部と、捻りブラシ 部と、結束部と先端の平形ブラシ部とを有し、捻りブラシ 部を複数の金属線間に短尺なブラシ毛を直交状に挟持して金属線を捻ることにより構成し、前記結束部を平形ブラシ部を構成する多数本のブラシ毛をワイヤーで束ねて構成し、平形ブラシ部を結束部で束ねられた多数本のブラシ毛を円盤状に成形し、その中心を接着剤で固めて保形した構成の捻りブラシが公知である。
【特許文献１】特開平７−２８５０５６号
【０００３】
この種の捻りブラシは、複数本の金属線間にブラシ素材を配置して、金属線を捻ることによりブラシ素材を金属線間に挟着固定して複数の捻りブラシ部を順次形成して製造している。
【発明の開示】
【発明が解決しようとする課題】
【０００４】
複数の捻りブラシ部を備えた捻りブラシにおいては、数種のブラシ素材を組み入れて様々な形態の捻りブラシ部を形成したい場合があるが、前記捻りブラシは、その中心軸である複数本の金属線が各捻りブラシ部のブラシ素材を挟着固定する共通の金属線であり、捻りブラシ部を構成するブラシ素材の種類や数も限定されてしまうため改善が望まれていた。
【０００５】
本発明は、上記した課題を解決するために提案されたもので、捻りブラシの中心軸である金属線の形態を各捻りブラシ部のブラシ素材の種類に応じて変更して、必要に応じて様々な態様の捻りブラシ部を備えた捻りブラシを提供することを目的とする。
【課題を解決するための手段】
【０００６】
前記目的を達成させるため請求項１記載の発明は、金属線を折曲することにより金属線部分の本数が異なる並列個所を複数有するように成形し、各金属線部分の並列個所に複数本のブラシ素材を直交するように装着して捻り込むことにより、金属線部分の本数が異なる複数の捻りブラシ部を成形したことを特徴とする捻りブラシである。
【０００７】
また、請求項２記載の発明は、複数の金属線部分の並列個所は、金属線を折曲することにより金属線部分の並列する並列個所を成形して該並列個所に複数本のブラシ素材を直交するように装着して捻り込むことにより成形した第１捻りブラシ部と、該第１捻りブラシ部を折曲することにより前記第１捻りブラシ部の両端から金属線部分同士が突出して並列してなる第２並列個所に複数本のブラシ素材を直交するように装着して捻り込むことにより成形した第２捻りブラシ部とを備えた請求項１に記載の捻りブラシである。
【発明の効果】
【０００８】
本発明の捻りブラシは、複数の捻りブラシ部を備えたものであるが、その中心軸である金属線部分の並列する本数は、金属線を折曲することにより容易に変更できるし、また、金属線部分の本数が異なる並列個所を複数有するので、様々な種類のブラシ素材を使用して様々な態様の捻りブラシ部を備えた捻りブラシを提供できる。
【発明を実施するための最良の形態】
【０００９】
以下に本発明の実施の形態を図面に基いて説明する。以下の実施例で説明するブラシ素材としては、合成樹脂線、金属線、生分解線、植物繊維、動物繊維等の何れか１種または２種以上を混合して用いることができる。そして、ブラシ素材に用いる合成樹脂線としては、ナイロン、塩ビ、ポリプロピレン、生分解性プラスティック線等を例示することができ、また、ブラシ素材に用いる金属線としては、ステンレス、ピアノ線、鉄線、銅線等が、植物繊維としては、パキン、パーム等が、動物繊維としては、豚素材、馬素材、狸素材等が、夫々使用される。
【００１０】
そしてこれらのブラシ素材には、研磨砥粒を混入させたものも使用することができる。研磨砥粒としては、例えばステンレスパウダー、金パウダー、チタンパウダー等の金属製パウダー、ダイヤモンドパウダー、セラミックスパウダー、無機質パウダー等であり、これらのいずれか１種または２種以上を合成樹脂、金属のブラシ素材に混入させるものである。
【実施例１】
【００１１】
図１（ａ）は本発明の実施例１に係る捻りブラシの斜視図、図１（ｂ）は（ａ）の折り曲げられた金属線とブラシ素材の捻り成形する前の斜視図である。
【００１２】
図１（ａ），（ｂ）において、捻りブラシ１０は、金属線１を折曲して、金属線部分１ａの並列する本数が２本の並列個所２ａと４本の並列個所２ｂとを有するように成形した成形金属線２と第１ブラシ素材３ａ、および、第１ブラシ素材３ａより長い第２ブラシ素材３ｂとから構成されている。
【００１３】
捻りブラシ１０を製造するには、先ず、先端側の金属線部分１ａが２本並列する並列個所２ａにおいて、複数本の第１ブラシ素材３ａを並列する金属線部分１ａに直交するように各金属線部分１ａ間に配置する。次に、根元側の金属線部分１ａが４本並列する並列個所２ｂにおいて、複数本の第２ブラシ素材３ｂを金属線部分１ａに直交するように奥側の各金属線部分１ａ間に配置する。そして、図１（ｂ）に示す状態で、成形金属線２の金属線部分１ａが４本並列する根元側の一端を、図示しない回転側の挟持機構に取付けて、成形金属線２における複数の第２ブラシ素材３ｂが配置されている端部の位置ａ１を固定しながら挟持機構を回転させて捻る。これにより、成形金属線２の一端から途中の位置ａ１までが、一体に束ねられた取っ手３が捻り成形される。そして、取っ手３の先端には、金属線部分１ａが４本並列に短く配置された状態で成形され、さらにその先端には、金属線部分１ａが２本並列に配置された状態で長く成形されている。
【００１４】
次に、成形金属線２において、金属線部分１ａが並列する本数が４本から２本に変わる位置ａ２を固定して、金属線部分１ａが４本並列し、また、複数本の長い方の第２ブラシ素材３ｂが各金属線部分１ａ間に配置されている根元側の金属線部分１ａの並列個所２ｂを螺旋状に捻り込むことにより、取っ手３の先端に長い方の第２ブラシ素材３ｂを螺旋状に配列させて短軸の捻りブラシ部４を成形する。そして、成形金属線２の先端を束ねて図示しない固定側の挟持機構に取付けて、成形金属線２を螺旋状に捻り込むことにより複数の第１ブラシ素材３ａを螺旋状に配列させて長軸の捻りブラシ部５を成形して捻りブラシ１０が完成する。
【実施例２】
【００１５】
図２は本発明の実施例２に係る捻りブラシの折り曲げられた金属線とブラシ素材の捻り成形する前の概略図である。
【００１６】
図２において、捻りブラシ１１は、先ず、金属線１を半分に折曲する。そして、半分に折曲されて２本に並列する金属線部分１ａの所定範囲の並列個所１２ａに複数本の第１ブラシ素材３ａを直交するように各金属線部分１ａ間に装着する。そして、第１ブラシ素材３ａが装着されている状態の並列個所１２ａの一端ａ４を図示しない回転側の挟持機構に取付けるとともに、並列個所１２ａの他端ａ５を固定しながら挟持機構を回転させて並列個所１２ａを螺旋状に捻り込むことにより第１捻りブラシ部１３を成形する。
【００１７】
次に、第１捻りブラシ部１３を環状に折曲して、第１捻りブラシ部１３の両端ａ４，ａ５を合致させ先端に環状の第１捻りブラシ部１３を成形するとともに、各両端ａ４，ａ５から突出した各２本の金属線部分１ａ同士の並列個所１２ｂを有する成形金属線１２を成形する。
【００１８】
そして、各２本の金属線部分１ａ同士の並列個所１２ｂの所定範囲に複数本の第２ブラシ素材３ｂを直交するように各金属線部分１ａ間に装着して、並列個所１２ｂの根元側の端部ａ６を回転側の挟持機構に取付けるとともに、第２ブラシ素材３ｂが装着されていない状態の並列個所１２ｂの他端ａ７を固定しながら挟持機構を回転させて捻る。これにより、図示しないが成形金属線１２の根元側の途中の位置ａ７までが、一体に束ねられた取っ手１５が捻り成形される。
【００１９】
次に、環状に折り曲げた第１捻りブラシ部１３と並列個所１２ｂとの境目の第１捻りブラシ部１３の両端ａ４，ａ５を固定しながら挟持機構を回転させて第２ブラシ素材３ｂが装着されている並列個所１２ｂを螺旋状に捻り込むことにより、第２捻りブラシ部１４を成形して捻りブラシ１１が完成する。
【００２０】
以上、本発明を図面の実施例に基づいて説明したが、本発明は上記した実施例に限定されるものではなく、特許請求の範囲に記載の構成を変更しない限りどのようにでも実施することができる。
【図面の簡単な説明】
【００２１】
【図１】（ａ）は本発明の実施例１に係る捻りブラシの斜視図、（ｂ）は（ａ）の折り曲げられた金属線とブラシ素材の捻り成形する前の斜視図である。
【図２】本発明の実施例２に係る捻りブラシの折り曲げられた金属線とブラシ素材の捻り成形する前の概略図である。
【符号の説明】
【００２２】
１  金属線
１ａ  金属線部分
２，１２  成形金属線
２ａ，２ｂ，１２ａ，１２ｂ  並列個所
３，１５  取っ手
３ａ  第１ブラシ素材
３ｂ  第２ブラシ素材
４  短軸の捻りブラシ部
５  長軸の捻りブラシ部
１０，１１  捻りブラシ
１３  第１捻りブラシ部
１４  第２捻りブラシ部
【図１】
2007167363.tif 000003
【図２】
2007167363.tif 000004